(57)【要約】【課題】  従来の椅子やソファーなどの家具製品の梱包には、発泡スチロールのクッションを椅子やソファーなどの製品に合わせて用意する必要があり、その種類が夥しくなり、その製作費用が多額になるとともにその保管に多大なスペースが必要となるという問題がある。また、家具製品が所定の配送先に届けられた後には家具を収容していた梱包材は不要となり、その処分に手間と費用がかかるという問題があった。【解決手段】  複数の梱包基板と、梱包基板に取り付けられたエアクッションと、梱包基板どうしを結合する結合手段とから構成される梱包用容器。梱包基板を組み立てる構造のため再利用が可能となり、エアクッションを使用するので、家具製品ごとに発泡スチロールのクッションを製作する必要がない。【選択図】図１
2010047315.tif 000002
【特許請求の範囲】
【請求項１】
複数の梱包基板と、  梱包基板に取り付けられたエアクッションと、  梱包基板どうしを結合する結合手段とから構成されることを特徴とする梱包用容器。
【請求項２】
前記エアクッションは、エアクッション内の空気を充填あるいは開放する空気注入口を備えることを特徴とする請求項１に記載の梱包用容器。
【請求項３】
前記梱包基板どうしを前記結合する結合手段は、ヒンジ部分が分離可能に形成されている蝶番と一部の梱包基板どうしを固定するボルトとから構成されることを特徴とする請求項１に記載の梱包用容器。
【請求項４】
前記梱包基板どうしを結合する前記結合手段は、ヒンジ部分が分離可能に形成されている蝶番と一部の梱包基板どうしを固定するパチン錠とから構成されることを特徴とする請求項１に記載の梱包用容器。
【請求項５】
少なくとも２つの前記梱包基板は、他の梱包基板との接触面積をより大きくとるための部材あるいは部位を備えることを特徴とする請求項１に記載の梱包用容器。
【請求項６】
複数の前記梱包基板を組み立てた後に前記エアクッションに空気を注入することを特徴とする請求項１に記載の梱包用容器。
【発明の詳細な説明】
【技術分野】
【０００１】  本発明は、再利用可能でかつ収納場所のスペースをとらないとともに、様々な形状の様々な大きさの対象物を梱包することが可能な梱包用容器に関する。
【背景技術】
【０００２】  椅子やソファーなどの家具製品は輸送時の衝撃から守るために段ボールなどの梱包用資材で梱包されて輸送される。段ボールに椅子やソファーなどの家具製品を安定して収容するために発泡スチロールのクッションを椅子やソファーに合わせて加工したものを段ボール内に収容して家具製品を段ボール内で安定させて梱包している。【０００３】  椅子やソファーなどの家具製品はその形状が一定しないために、椅子やソファーなどの製品の形状に合わせて発泡スチロールのクッションを用意する必要があり、その種類が夥しくなり、その製作費用が多額になるとともにその保管に多大なスペースが必要となるという問題がある。【０００４】  そこで、特開平１０−１１４３６６号公報において、梱包箱の内壁にエアクッションを取り付けた構成の梱包箱が提案されている。梱包箱の内壁の取り付けられたにエアクッションは収容された製品の形状に応じて変形するために、発泡スチロールのクッション材を製品ごとに製作する必要はなくなる。【０００５】  一方、家具製品が所定の配送先に届けられて家具製品が梱包材から取り出された後は家具製品を収容していた梱包材は廃棄されるのが一般的であり、その処分に手間と費用がかかるという問題がある。また、家具製品の形状やサイズは多種多様であり、これに合わせて多種類の梱包用容器を用意しなければならないという問題がある。【０００６】
【特許文献１】特開平１０−１１４３６６号公報
【発明の開示】
【発明が解決しようとする課題】
【０００７】  本発明は上記問題点を鑑み、家具製品に合わせてクッション材を用意する必要がなく、家具製品の配送が完了した後に再利用可能であるとともに、梱包用容器の収納場所のスペースをとらない構成とすることにより様々な大きさの家具製品に対応可能な梱包用容器を提供することを目的とする。
【課題を解決するための手段】
【０００８】  上記目的を達成するために、本発明の第１の解決手段の梱包用容器は、複数の梱包基板と、梱包基板に取り付けられたエアクッションと、梱包基板どうしを結合する結合手段とから構成されることを特徴とする。【０００９】  上記の第１の解決手段によれば、梱包の容器を形成す梱包基板にはエアクッションを設けてあるため、改めてクッション材を用意する必要がないとともに、独立した梱包基板を組み合わせて結合することで梱包用容器を形成するために、梱包基板はコンパクトに収容できるとともに、任意の大きさの収容物に対して梱包可能に対応できる。【００１０】  本発明の第２の解決手段は、第１の解決手段の梱包用容器であって、前記エアクッションは、エアクッション内の空気を充填あるいは開放する空気注入口を備えることを特徴としており、梱包の際にエアクッション内に空気を充填することにより収容製品のクッション材とすることができるとともに、梱包基板を倉庫等に収納する際はエアクッションの空気を抜き、コンパクトに収納することができる。【００１１】  本発明の第３の解決手段は、第１の解決手段の梱包用容器であって、前記梱包基板どうしを結合する前記結合手段は、ヒンジ部分が分離可能に形成されている蝶番と一部の梱包基板どうしを固定するボルトとから構成されることを特徴としており、蝶番を組み合わせて箱状に形成するとともに、上板となる梱包基板と他の梱包基板とをボルトで締結することで、確実に梱包される。【００１２】  本発明の第４の解決手段は、第１の解決手段の梱包用容器であって、前記梱包基板どうしを結合する前記結合手段は、ヒンジ部分が分離可能に形成されている蝶番と一部の梱包基板どうしを固定するパチン錠とから構成されることを特徴としており、蝶番を組み合わせて箱状に形成するとともに、上板となる梱包基板と他の梱包基板とをパチン錠で締結することで、確実に梱包される。【００１３】  本発明の第５の解決手段は、第１の解決手段の梱包用容器であって、少なくとも２つの前記梱包基板は、他の梱包基板との接触面積をより大きくとるための部材あるいは部位を備えることを特徴としており、これにより梱包用容器の剛性を高めている。【００１４】  本発明の第６の解決手段は、第１の解決手段の梱包用容器であって、複数の前記梱包基板を組み立てた後に前記エアクッションに空気を注入することを特徴としており、不定形の家具製品であっても適度なクッション機能と固定機能を発揮する。
【発明の効果】
【００１５】  上述したように本発明の梱包用容器は、発泡スチロールなどの予め製品の形状に対応したクッション材を用意する必要なく、エアクッションに空気を注入するだけで家具製品を固定することが出来るともに、複数の梱包基板で組み立てる構造であるために再利用が可能で、かつ収納にスペースをとらないという特徴を有する。【００１６】  また、本発明の梱包用容器は異なるサイズの家具製品に容易に対応できる。即ち奥行きおよび高さが同じであれば、異なる長さの梱包基板を用いることにより異なるサイズの家具製品を梱包することが可能となる。
【発明を実施するための最良の形態】
【実施例】
【００１７】  図をもって本発明の梱包用容器について詳細に説明する。なお、本発明は本実施例によって限定されるものではない。【００１８】  図１は本発明の実施例の梱包用容器の梱包基板の構成を示す説明図である。図１に示す梱包用容器１は、６枚の梱包基板即ち、底面基板２、前側基板３、後側基板４、上面基板５、右側基板６及び左側基板７から構成される。なお、右側基板６及び左側基板７は、前側基板３及び後側基板４との接触面積を増すための部位あるいは部材を備えるのが望ましい。この部材は前側基板３及び後側基板４に設けてもよい。【００１９】  ６枚の梱包基板は、再利用する点を考慮してプラスチックもしくは合板などの耐久性のある材質がのぞましい。また重量の点を重視するならば強化段ボールを使用することも可能である。６枚の梱包基板には空気を収容することができる袋状のエアクッション８ａ、８ｂ、８ｃがそれぞれ取り付けられている。【００２０】  エアクッション８ａ、８ｂ、８ｃには空気を充填あるいは開放するための空気注入口が設けられる（図示せず）。空気注入口の形状は問わないが、エアクッション８ａ、８ｂ、８ｃに充填した空気が漏れないようにするための逆止め弁機能あるいは漏れ止め機能が取り付けられているものが望ましい。エアクッション８ａ、８ｂ、８ｃは大きさのみ異なり、材質、構造等は同一である。【００２１】  図２に第１の実施例の梱包用容器を示す。底面基板２と前側基板３、後側基板４、右側基板６、左側基板７とは蝶番９によって結合される。蝶番９は、図１に示されるように２つに分離可能な構造の蝶番である。また、右側基板６及び左側基板７は、それぞれ前側基板３及び後側基板４とパチン錠によって結合される。さらに上面基板５は所謂上蓋に該当し、前側基板３と結合するパチン錠を備えている。【００２２】  上述した６個の梱包基板を持って椅子、ソファーなどの家具製品を収容する手順について説明する。【００２３】  底面基板２に前側基板３、後側基板４、右側基板６および左側基板７を蝶番９を介して結合する。次いで右側基板６に前側基板３及び後側基板４をパチン錠によって結合する。さらに左側基板７に前側基板３及び後側基板４をパチン錠によって結合する。この結果、図２に示すように内側にエアクッションを備えた梱包用容器が形成される。【００２４】  収容する家具製品の形状に応じてエアクッション８ａ、８ｂ、８ｃに空気を注入する。形状によっては均等に空気を入れるのではなく、一方の側に多く注入することも可能である。エアクッション８ａ、８ｂ、８ｃへの空気の注入が完了したならば、家具製品を上方から梱包用容器１内に収容する。【００２５】  上面基板５のエアクッション８ａに空気が注入された状態で上から蓋をする形で閉じ、と上面基板５と前側基板３をパチン錠で結合して家具製品の梱包が完了する。【００２６】  上述した梱包の手順は、予め箱の形に組み立てた状態で椅子、ソファーなどの家具製品を収容して梱包したが、椅子、ソファーなどの家具製品を底面基板２においた状態で前側基板３、後側基板４、右側基板６、左側基板７を組み立てて箱状に形成してもよい。エアクッションへの空気の注入は箱状に組み立てる際に確認しながら行うものとする。それ以���の手順は、上述した手順と同じである。【００２７】  図３に第２の実施例を示す。第１の実施例では右側基板６及び左側基板７と前側基板３及び後側基板４との固定をパチン錠９によって行っていたが、本実施例では固定ねじ１０でもって固定する。さらに上面基板５と前側基板３と固定を固定ねじ１０で行う。家具製品を収容する手順は第１の実施例と同様であり、最初に底面基板２と前側基板３、後側基板４、右側基板６、左側基板７とを結合して箱状に形成した後に固定ねじ１０で固定する。次いで上面基板５を閉じて前側基板３と固定ねじ１０で固定して梱包が完了する。【００２８】  本実施例では、底面基板と側面の基板の結合に蝶番を用いたがこれにかぎるものではなく、スライド式の嵌め込み構造としてもよい。【００２９】  また、本実施例では、梱包基板を箱状に固定するのにパチン錠あるいは固定ねじを用いたがこれに限るものではなく、結合が堅固なものであればよい。【００３０】  上述の説明では椅子やソファーなどの家具製品を収容対象物として説明したが、これに限るものではなく、家電製品やその他の製品について適用することが可能である。
【産業上の利用可能性】
【００３１】  従来の椅子やソファーなどの家具製品の梱包には、発泡スチロールのクッションを椅子やソファーなどの製品に合わせて用意する必要があり、その種類が夥しくなり、その製作費用が多額になるとともにその保管に多大なスペースが必要となるという問題がある。また、家具製品が所定の配送先に届けられた後には家具を収容していた梱包材は不要となり、廃棄されるのが一般的であり、その処分に手間と費用がかかるという問題があった。【００３２】  本発明の梱包用容器は、複数の梱包基板と、梱包基板に取り付けられたエアクッションと、梱包基板どうしを結合する結合手段とから構成される。その結果、梱包基板に取り付けられたエアクッションが家具の形状に自動的にフィットして家具製品を安定して保持することが可能であり、家具製品ごとに発泡スチロールのクッションを製作する必要がない。【００３３】  また、本発明の梱包用容器は、分離可能な複数の梱包基板で構成されているために、家具製品の配送が終了した後に分解することにより、再利用可能となる。さらにエアクッションは空気をぬくことによりコンパクトな形状となり返送の際に負担とならない。加えて分離可能な構造であるために、梱包基板のサイズを複数種類用意することにより、多種類のサイズに対応することが可能となる。【００３４】  以上説明したように、本発明の梱包用容器は、家具製品ごとに発泡スチロールなどのクッションを用意する必要がなく、再利用が可能であり、多種類のサイズに容易に対応することが可能な梱包用容器である。このことから本発明の梱包用容器は、廃棄物を出さないために環境にやさしく、再利用が可能なためにコスト低減を実現することができるために産業への寄与は大なるものがある。
【図面の簡単な説明】
【００３５】
【図１】本実施例の梱包用容器の梱包基板の構成を示す説明図である。
【図２】第１の実施例の梱包用容器を示す説明図である。
【図３】第２の実施例の梱包用容器を示す説明図である。
【符号の説明】
【００３６】１  梱包用容器２  梱包基板（底面基板）３  梱包基板（前側基板）４  梱包基板（後側基板）５  梱包基板（上面基板）６  梱包基板（右側基板）７  梱包基板（左側基板）８、８ａ、８ｂ、８ｃ  エアクッション９  パチン錠１０  固定ねじ
【図１】
2010047315.tif 000003
【図２】
2010047315.tif 000004
【図３】
2010047315.tif 000005